(57)【特許請求の範囲】
【請求項１】
ユーザの健康診断データを取得する健康診断データ取得部と、
前記ユーザのライフログデータを取得するライフログデータ取得部と、
前記ユーザに提示する複数のアドバイス候補の各々について、前記健康診断データのデータ項目ごとに当該ユーザに対して提示する優先度のスコアを求め、一のアドバイス候補について、すべてのデータ項目の優先度のスコアを合計した合計スコアを計算し、前記合計スコアに基づいて、当該アドバイス候補の優先順位を決定する優先順位決定部と、
前記複数のアドバイス候補の各々について、前記ライフログデータに基づいて、前記ユーザに提示すべきか否かを判定する提示可否判定部と、
前記複数のアドバイス候補のうち、前記優先順位決定部で決定された優先順位が高くかつ前記提示可否判定部でユーザに提示すべきと判定されたアドバイス候補を、前記ユーザに提示するアドバイスとして決定するアドバイス決定部と、
を備えることを特徴とするアドバイス決定システム。
【請求項２】
前記ユーザの生活行動に関するアンケート回答データを取得するアンケート回答データ取得部を備え、
前記優先順位決定部は、前記複数のアドバイス候補の各々について、前記アンケート回答データのデータ項目ごとに前記優先度のスコアを求め、一のアドバイス候補について、すべてのデータ項目の優先度のスコアを合計した合計スコアを計算し、前記合計スコアに基づいて、当該アドバイス候補の優先順位を決定する、請求項１に記載のアドバイス決定システム。
【請求項３】
前記ユーザの勤怠データを取得する勤怠データ取得部を備え、
前記優先順位決定部は、前記複数のアドバイス候補の各々について、前記勤怠データのデータ項目ごとに前記優先度のスコアを求め、一のアドバイス候補について、すべてのデータ項目の優先度のスコアを合計した合計スコアを計算し、前記合計スコアに基づいて、当該アドバイス候補の優先順位を決定する、請求項１または請求項２に記載のアドバイス決定システム。
【請求項４】
前記ユーザのメンタルデータを取得するメンタルデータ取得部を備え、
前記優先順位決定部は、前記複数のアドバイス候補の各々について、前記メンタルデータのデータ項目ごとに前記優先度のスコアを求め、一のアドバイス候補について、すべてのデータ項目の優先度のスコアを合計した合計スコアを計算し、前記合計スコアに基づいて、当該アドバイス候補の優先順位を決定する、請求項１〜請求項３のいずれかに記載のアドバイス決定システム。
【請求項５】
前記アドバイス候補が、前記ユーザの生活行動において回避すべき注意行動に関するものである場合、
前記提示可否判定部は、
前記ライフログデータに基づいて、前記ユーザの生活行動において当該アドバイス候補で提示される注意行動が回避されていないと判断される場合に、当該アドバイス候補を前記ユーザに提示すべきと判定する、請求項１〜請求項４のいずれかに記載のアドバイス決定システム。
【請求項６】
前記アドバイス候補が、前記ユーザの生活行動において実行すべき推奨行動に関するものである場合、
前記提示可否判定部は、
前記ライフログデータに基づいて、前記ユーザの生活行動において当該アドバイス候補で提示される推奨行動が実行されていると判断される場合に、当該アドバイス候補を前記ユーザに提示すべきと判定する、請求項１〜請求項４のいずれかに記載のアドバイス決定システム。
【請求項７】
前記優先順位決定部は、
前記一のアドバイス候補が、前記健康診断データに基づいて前記ユーザに対して提示すべきでないと判断される場合には、当該アドバイス候補の優先順位を最下位にする、あるいは、当該アドバイス候補の優先順位をつけない禁忌処理を行う、請求項１〜請求項６のいずれか一項に記載のアドバイス決定システム。
【発明の詳細な説明】
【技術分野】
【０００１】
本発明は、ユーザに提示するアドバイスを自動的に決定するアドバイス決定システムに関する。
【背景技術】
【０００２】
従来、ユーザの日常生活行動に関する情報に基づいて、ユーザに提示する推奨情報を選択するシステムが提案されている（例えば、特許文献１参照）。
【先行技術文献】
【特許文献】
【０００３】
【特許文献１】特開２０１７−４０９８１号公報
【発明の概要】
【発明が解決しようとする課題】
【０００４】
しかしながら、従来のシステムにおいては、ユーザに提示する情報を選択するときに、そのユーザの健康診断データがまったく考慮されていない。ところで、ユーザの健康診断データに基づいてユーザに提示するアドバイスを選択しようとすると、健康診断データはデータ項目が非常に多いため、ユーザに提示するアドバイスの内容が互いに矛盾することもあり得る。
【０００５】
例えば、健康診断データのデータ項目「ＢＭＩ」に基づいて「タンパク質をとりましょう」というアドバイスが選択される一方、健康診断データのデータ項目「クレアチン」に基づいて「タンパク質のとりすぎはやめましょう」というアドバイスが選択される場合があり得る。そのような場合、ユーザは、どちらのアドバイスに従えばいいのか判断することができず、アドバイスを信頼しなくなる（アドバイスの信頼性が低下する）という問題がある。
【０００６】
本発明は、上記の課題に鑑みてなされたもので、ユーザにとって信頼性の高いアドバイスを提示することのできるアドバイス決定システムを提供することを目的とする。
【課題を解決するための手段】
【０００７】
本発明のアドバイス決定システムは、ユーザの健康診断データを取得する健康診断データ取得部と、前記ユーザのライフログデータを取得するライフログデータ取得部と、前記ユーザに提示する複数のアドバイス候補の各々について、前記健康診断データのデータ項目ごとに当該ユーザに対して提示する優先度のスコアを求め、一のアドバイス候補について、すべてのデータ項目の優先度のスコアを合計した合計スコアを計算し、前記合計スコアに基づいて、当該アドバイス候補の優先順位を決定する優先順位決定部と、前記複数のアドバイス候補の各々について、前記ライフログデータに基づいて、前記ユーザに提示すべきか否かを判定する提示可否判定部と、前記複数のアドバイス候補のうち、前記優先順位決定部で決定された優先順位が高くかつ前記提示可否判定部でユーザに提示すべきと判定されたアドバイス候補を、前記ユーザに提示するアドバイスとして決定するアドバイス決定部と、を備えている。
【０００８】
この構成によれば、複数のアドバイス候補（例えば、「糖質を控えましょう」「食塩を減らしましょう」など）の各々について、健康診断データのデータ項目（例えば、ＢＭＩ、腹囲、血糖値、など）ごとにユーザに提示する優先度のスコアが求められる。そして、一のアドバイス候補について、すべてのデータ項目の優先度のスコアを合計した合計スコアが計算され、合計スコアに基づいて、そのアドバイス候補の優先順位（例えば、優先度１は「糖質の摂りすぎには気を付けましょう」、優先度２は「野菜を食べましょう」、優先度３は「食塩を減らしましょう」と「たんぱく質をとりましょう」）が決定される。また、複数のアドバイス候補の各々について、ユーザのライフログデータ（例えば、「ご飯や糖質が多い」「野菜はしっかり摂れている」など）に基づいて、ユーザに提示すべきか否か（例えば、優先度１の「糖質の摂りすぎには気を付けましょう」はユーザーに提示する必要がある、優先度２の「野菜を食べましょう」はユーザーに提示する必要がない、など）が判定される。そして、複数のアドバイス候補のうち、優先順位が高くかつユーザに提示すべきと判定されたアドバイス候補が、ユーザに提示するアドバイスとして決定される。これにより、ユーザの健康診断データとライフログデータを考慮して、そのユーザにとって必要なアドバイスが提示される。このようにして、ユーザにとって信頼性の高いアドバイスが提示される。
【０００９】
本発明のアドバイス決定システムでは、前記ユーザの生活行動に関するアンケート回答データを取得するアンケート回答データ取得部を備え、前記優先順位決定部は、前記複数のアドバイス候補の各々について、前記アンケート回答データのデータ項目ごとに前記優先度のスコアを求め、一のアドバイス候補について、すべてのデータ項目の優先度のスコアを合計した合計スコアを計算し、前記合計スコアに基づいて、当該アドバイス候補の優先順位を決定してもよい。
【００１０】
この構成によれば、複数のアドバイス候補（例えば、「適切なカロリーを守りましょう」「（運動強度の高い）スポーツをしましょう」など）の各々について、ユーザのアンケート回答データ（例えば、「運動をすると膝や腰がかなり痛む」など）に基づいて、ユーザに提示すべきか否か（例えば、「適切なカロリーを守りましょう」はユーザーに提示する必要がある、「（運動強度の高い）スポーツをしましょう」はユーザーに提示する必要がない、など）が判定される。これにより、ユーザのアンケート回答データを考慮して、そのユーザにとって必要なアドバイスが提示される。
【００１１】
本発明のアドバイス決定システムでは、前記ユーザの勤怠データを取得する勤怠データ取得部を備え、前記優先順位決定部は、前記複数のアドバイス候補の各々について、前記勤怠データのデータ項目ごとに前記優先度のスコアを求め、一のアドバイス候補について、すべてのデータ項目の優先度のスコアを合計した合計スコアを計算し、前記合計スコアに基づいて、当該アドバイス候補の優先順位を決定してもよい。
【００１２】
この構成によれば、複数のアドバイス候補（例えば、「早く就寝しましょう」「歩数を増やしましょう」など）の各々について、ユーザの勤怠データ（例えば、「残業時間」「有給残日数」「就業開始時刻」「就業終了時刻」「深夜残業時間」など）に基づいて、ユーザに提示すべきか否か（例えば、「早く就寝しましょう」はユーザーに提示する必要がある、「歩数を増やしましょう」はユーザーに提示する必要がない、など）が判定される。これにより、ユーザの勤怠データを考慮して、そのユーザにとって必要なアドバイスが提示される。
【００１３】
本発明のアドバイス決定システムでは、前記ユーザのメンタルデータを取得するメンタルデータ取得部を備え、前記優先順位決定部は、前記複数のアドバイス候補の各々について、前記メンタルデータのデータ項目ごとに前記優先度のスコアを求め、一のアドバイス候補について、すべてのデータ項目の優先度のスコアを合計した合計スコアを計算し、前記合計スコアに基づいて、当該アドバイス候補の優先順位を決定してもよい。
【００１４】
この構成によれば、複数のアドバイス候補（例えば、「休息をとりましょう」「カロリー制限をしましょう」など）の各々について、ユーザのメンタルデータ（例えば、「ストレス判定（高／中／低）」「気持ちが沈みやすいか（はい／いいえ）」「仕事量が多いと感じているか（そう思う／少しそう思う／そうは思わない）」「職場環境に良い雰囲気を感じているか（はい／いいえ）」など）に基づいて、ユーザに提示すべきか否か（例えば、「休息をとりましょう」はユーザーに提示する必要がある、「カロリー制限をしましょう」はユーザーに提示する必要がない、など）が判定される。これにより、ユーザのメンタルデータを考慮して、そのユーザにとって必要なアドバイスが提示される。
【００１５】
また、本発明のアドバイス決定システムでは、前記アドバイス候補が、前記ユーザの生活行動において回避すべき注意行動に関するものである場合、前記提示可否判定部は、前記ライフログデータに基づいて、前記ユーザの生活行動において当該アドバイス候補で提示される注意行動が回避されていないと判断される場合に、当該アドバイス候補を前記ユーザに提示すべきと判定してもよい。
【００１６】
この構成によれば、アドバイス候補がユーザの生活行動において回避すべき注意行動に関するもの（例えば、「糖質の摂り過ぎには注意しましょう」など）である場合、ユーザのライフログデータから、その注意行動が回避されていないと判断されると、そのアドバイス候補が、ユーザに提示するアドバイスとして決定される。これにより、そのユーザにとって注意が必要なアドバイスが提示される。
【００１７】
また、本発明のアドバイス決定システムでは、前記アドバイス候補が、前記ユーザの生活行動において実行すべき推奨行動に関するものである場合、前記提示可否判定部は、前記ライフログデータに基づいて、前記ユーザの生活行動において当該アドバイス候補で提示される推奨行動が実行されていると判断される場合に、当該アドバイス候補を前記ユーザに提示すべきと判定してもよい。
【００１８】
この構成によれば、アドバイス候補がユーザの生活行動において実行すべき推奨行動に関するもの（例えば、「野菜をしっかり食べるのは良いことですね。ぜひ続けましょう」など）である場合、ユーザのライフログデータから、その推奨行動が実行されていると判断されると、そのアドバイス候補が、ユーザに提示するアドバイスとして決定される。これにより、そのユーザにとって有益なアドバイスが提示される。
【００１９】
また、本発明のアドバイス決定システムでは、前記優先順位決定部は、前記一のアドバイス候補が、前記健康診断データに基づいて前記ユーザに対して提示すべきでないと判断される場合には、当該アドバイス候補の優先順位を最下位にする、あるいは、当該アドバイス候補の優先順位をつけない禁忌処理を行ってもよい。
【００２０】
この構成によれば、あるアドバイス候補が、健康診断データに基づいてそのユーザに対して提示すべきでないと判断される場合、そのアドバイス候補については禁忌処理（優先順位を最下位にする、あるいは、優先順位をつけない処理）が行われ、そのアドバイス候補はユーザに提示されない。これにより、ユーザにとって提示すべきでないアドバイス（例えば、腎臓疾患のあるユーザに対して「野菜をたべましょう」など）が提示されるのを避けることができる。
【発明の効果】
【００２１】
本発明によれば、ユーザにとって信頼性の高いアドバイスを提示することができる。
【図面の簡単な説明】
【００２２】
【図１】本実施の形態におけるアドバイス決定システムの構成を示すブロック図である。
【図２】本実施の形態における優先順位の決定の例を示す図である。
【図３】本実施の形態におけるライフログデータの例を示す図である。
【図４】本実施の形態におけるアドバイス決定システムの動作説明のためのフロー図である。
【発明を実施するための形態】
【００２３】
以下、本発明の実施の形態のアドバイス決定システムについて、図面を用いて説明する。本実施の形態では、健康アドバイスシステム等に用いられるアドバイス決定システムの場合を例示する。
【００２４】
本発明の実施の形態のアドバイス決定システムの構成を、図面を参照して説明する。図１は、本実施の形態のアドバイス決定システムの構成を示すブロックである。図１に示すように、アドバイス決定システム１は、ネットワーク２を介して、ユーザ端末３、健康診断データサーバ４、勤怠データサーバ５、メンタルデータサーバ６と接続されている。
【００２５】
ユーザ端末３は、ユーザが操作する端末装置であり、例えばスマートフォンなどで構成されている。ユーザ端末３は、ユーザのライフログデータを記録する機能を備えている。また、ユーザ端末３は、ユーザの生活行動に関するアンケート回答データを記録する機能を備えている。
【００２６】
健康診断サーバは、健康診断事業者などによって運営されるサーバ装置であり、ユーザの健康診断データが記録されている。勤怠サーバは、勤怠管理事業者などによって運営されるサーバ装置であり、ユーザの勤怠データが記録されている。メンタルデータサーバ６は、メンタルヘルスケア事業者などによって運営されるサーバ装置であり、ユーザのメンタルデータが記録されている。
【００２７】
図１に示すように、アドバイス決定システム１は、健康診断データ取得部１０、ライフログデータ取得部１１、アンケート回答取得部１２、勤怠データ取得部１３、メンタルデータ取得部１４、優先順位決定部１５、提示可否判定部１６、アドバイス決定部１７、アドバイス送信部１８、記憶部１９を備えている。
【００２８】
健康診断データ取得部１０は、健康診断データサーバ４からユーザの健康診断データを取得する機能を備えている。健康診断データには、例えば「ＢＭＩ」「腹囲」「血糖値」などが含まれる（図２参照）。なお、ユーザ端末３が健康診断データを記録する機能を備えている場合には、健康診断データ取得部１０は、ユーザ端末３からユーザの健康診断データを取得してもよい。
【００２９】
ライフログデータ取得部１１は、ユーザ端末３からユーザのライフログデータを取得する機能を備えている。ライフログデータには、例えば「食事」「歩数」「睡眠」「運動」「カラダ」などのログデータが含まれる（図３参照）。
【００３０】
アンケート回答データ取得部は、ユーザ端末３からユーザの生活行動に関するアンケート回答データを取得する機能を備えている。アンケート回答データには、例えば「運動すると膝や腰がかなり痛む」などが含まれる。
【００３１】
勤怠データ取得部１３は、勤怠データサーバ５からユーザの勤怠データを取得する機能を備えている。勤怠データには、例えば「残業時間」などが含まれる。なお、ユーザ端末３が勤怠データを記録する機能を備えている場合には、勤怠データ取得部１３は、ユーザ端末３からユーザの勤怠データを取得してもよい。
【００３２】
メンタルデータ取得部１４は、メンタルデータサーバ６からユーザのメンタルデータを取得する機能を備えている。メンタルデータには、例えば「ストレス判定（高／中／低）」などが含まれる。なお、ユーザ端末３がメンタルデータを記録する機能を備えている場合には、メンタルデータ取得部１４は、ユーザ端末３からユーザのメンタルデータを取得してもよい。
【００３３】
記憶部１９には、ユーザに提示する複数のアドバイス候補が記録されている。アドバイス候補は、ユーザに対して様々なタスクを提案するものであり、例えば「糖質を控えましょう」「食塩を減らしましょう」「適切なカロリーを守りましょう」「（運動強度の高い）スポーツをしましょう」「早く就寝しましょう」「歩数を増やしましょう」「休息をとりましょう」「カロリー制限をしましょう」「野菜を食べましょう」「たんぱく質をとりましょう」などが含まれる。
【００３４】
この場合、アドバイス候補には、例えば「糖質の摂り過ぎには注意しましょう」など、ユーザの生活行動において回避すべき注意行動に関するものが含まれる。さらに、アドバイス候補には、例えば「野菜をしっかり食べることは良いことですね。ぜひ続けましょう」など、ユーザの生活行動において実行すべき推奨行動に関するものが含まれる。
【００３５】
また、記憶部１９には、ユーザー端末３から取得したライフログデータ、アンケート回答データ等も記録されている。
【００３６】
優先順位決定部１５は、記憶部１９に記録されている複数のアドバイス候補の各々について、健康診断データのデータ項目ごとにそのユーザに対して提示する優先度のスコアを求める。例えば、図２の例では、「タスクＡ」というアドバイス候補について、健康診断データの「ＢＭＩ」の優先度スコアが「０」、「腹囲」の優先度スコアが「＋１０」、「血糖値」の優先度スコアが「０」と求められている。
【００３７】
ここで、健康診断データの優先度のスコアは、所定の基準に基づいて求めることができる。例えば、「ＢＭＩ」の優先度のスコアは、「ＢＭＩ」の値が２３未満であれば優先度のスコアは「０」であり、「ＢＭＩ」の値が２３以上２５未満であれば優先度のスコアは「＋５」であり、「ＢＭＩ」の値が２５以上であれば優先度のスコアは「＋１０」である、などの基準に基づいて求めることができる。「腹囲」「血糖値」についても同様に、所定の基準に基づいて求めることができる。
【００３８】
また、優先順位決定部１５は、記憶部１９に記録されている複数のアドバイス候補の各々について、アンケート回答データのデータ項目ごとに優先度のスコアを求める。例えば、図２の例では、「タスクＡ」というアドバイス候補について、アンケート回答データの「アンケートＡ」の優先度スコアが「＋３」、「アンケ―ドＢ」の優先度スコアが「０」と求められている。
【００３９】
ここで、アンケート回答データの優先度のスコアは、所定の基準に基づいて求めることができる。例えば、アンケート回答データの優先度スコアは、アンケートの内容とタスクの内容との間に関連がある場合には「＋３」であり、関連がない場合には「０」である、などの基準に基づいて求めることができる。
【００４０】
さらに、優先順位決定部１５は、記憶部１９に記録されている複数のアドバイス候補の各々について、勤怠データのデータ項目ごとに優先度のスコアを求める。例えば、図２の例では、「タスクＣ」というアドバイス候補について、勤怠データの「残業時間」の優先度スコアが「＋３」と求められている。
【００４１】
ここで、勤怠データの優先度のスコアは、所定の基準に基づいて求めることができる。例えば、「残業時間」の優先度のスコアは、「残業時間」の値が週５時間未満であれば優先度のスコアは「０」であり、週５時間以上であれば優先度のスコアは「＋３」である、などの基準に基づいて求めることができる。
【００４２】
また、優先順位決定部１５は、記憶部１９に記録されている複数のアドバイス候補の各々について、メンタルデータのデータ項目ごとに優先度のスコアを求める。例えば、図２の例では、「タスクＤ」というアドバイス候補について、メンタルデータの「ストレス判定」の優先度スコアが「＋５」と求められている。
【００４３】
ここで、メンタルデータの優先度のスコアは、所定の基準に基づいて求めることができる。例えば、「ストレス判定」の優先度のスコアは、「ストレス判定」の結果が「低」であれば優先度のスコアは「０」であり、「中」であれば優先度のスコアは「＋３」であり、「高」であれば優先度のスコアは「＋５」である、などの基準に基づいて求めることができる。
【００４４】
さらに、優先順位決定部１５は、あるアドバイス候補が、健康診断データに基づいてユーザに対して提示すべきでないと判断される場合には、そのアドバイス候補の優先順位を最下位にする、あるいは、当該アドバイス候補の優先順位をつけない禁忌処理を行う。例えば、腎臓疾患のあるユーザに対して「野菜をたべましょう」というアドバイスは提示すべきではない。
【００４５】
ここで、禁忌処理は、様々な手法で行うことができる。例えば、図２の例では、優先度のスコアの合計値に「係数」をかけることで、そのアドバイス候補の優先順位を最下位にしている。具体的には、禁忌処理の対象となるアドバイス候補の「係数」を「０」とすることで、そのアドバイス候補の優先順位を最下位としている。禁忌処理の例は、これに限定されるものではなく、例えば「係数」を負の値としてもよい。また、そのアドバイス候補の優先順位をつけない。
【００４６】
そして、優先順位決定部１５は、一のアドバイス候補について、すべてのデータ項目の優先度のスコアを合計した合計スコアを計算し、合計スコアに基づいて、そのアドバイス候補の優先順位を決定する。
【００４７】
例えば、図２の例では、タスクＡの合計スコアが「＋１３」であり、タスクＢの合計スコアが「＋１８」であり、タスクＣの合計スコアが「＋１１」であり、タスクＤの合計スコアが「０」である。この場合、タスクＡの優先順位が「２」、タスクＢの優先順位が「１」、タスクＣの優先順位が「３」、タスクＤの優先順位が「−（順位なし）」と決定される。
【００４８】
提示可否判定部１６は、記憶部１９に記録されている複数のアドバイス候補の各々について、ライフログデータに基づいて、ユーザに提示すべきか否かを判定する機能を備えている。
【００４９】
例えば、アドバイス候補が、ユーザの生活行動において回避すべき注意行動に関するもの（例えば「糖質の摂り過ぎには注意しましょう」など）である場合に、提示可否判定部１６は、ライフログデータ（一日に摂取した糖質：３５０ｇ以上）に基づいて、ユーザの生活行動においてそのアドバイス候補で提示される注意行動が回避されていない（糖質が多い）と判断されると、そのアドバイス候補をユーザに提示すべきと判定する。
【００５０】
また、アドバイス候補が、ユーザの生活行動において実行すべき推奨行動に関するもの（例えば、「野菜をしっかり食べるのは良いことですね。ぜひ続けましょう」など）である場合に、提示可否判定部１６は、ライフログデータ（一日の野菜摂取量：３５０ｇ以上）に基づいて、ユーザの生活行動において当該アドバイス候補で提示される推奨行動が実行されている（野菜はしっかり摂れている）と判断されると、そのアドバイス候補をユーザに提示すべきと判定する。
【００５１】
アドバイス決定部１７は、記憶部１９に記録されている複数のアドバイス候補のうち、優先順位決定部１５で決定された優先順位が高くかつ提示可否判定部１６でユーザに提示すべきと判定されたアドバイス候補を、ユーザに提示するアドバイスとして決定する。したがって、たとえ優先順位決定部１５で決定された優先順位が高いアドバイス候補であっても、提示可否判定部１６でユーザに提示すべきでないと判定されたアドバイス候補は、ユーザに提示されることがない。
【００５２】
アドバイス送信部１８は、アドバイス決定部１７でユーザに提示するアドバイスとして決定されたアドバイスを、ユーザ端末３に送信する機能を備えている。
【００５３】
以上のように構成されたアドバイス決定システム１について、図４のフロー図を参照してその動作を説明する。
【００５４】
図４に示すように、本実施の形態のアドバイス決定システム１は、まず、健康診断データサーバ４からユーザの健康診断データを取得し（Ｓ１）、ユーザ端末３からユーザのライフログデータを取得する（Ｓ２）。なお、予めユーザ端末３から取得したライフログデータは、記憶部１９から取得することができる。また、アドバイス決定システム１は、ユーザ端末３からユーザの生活行動に関するアンケート回答データを取得し（Ｓ３）、勤怠データサーバ５からユーザの勤怠データを取得する（Ｓ４）。さらに、アドバイス決定システム１は、メンタルデータサーバ６からユーザのメンタルデータを取得する（Ｓ５）。
【００５５】
つぎに、アドバイス決定システム１は、図２に示すように、複数のアドバイス候補の各々について、ユーザに対して提示する優先度のスコアを求め、一のアドバイス候補について、すべてのデータ項目の優先度のスコアを合計した合計スコアを計算し、合計スコアに基づいて、そのアドバイス候補の優先順位を決定する（Ｓ６）。また、複数のアドバイス候補の各々について、ライフログデータに基づいて、ユーザに提示すべきか否かを判定する（Ｓ７）。
【００５６】
そして、アドバイス決定システム１は、複数のアドバイス候補のうち、優先順位決定部１５で決定された優先順位が高くかつ提示可否判定部１６でユーザに提示すべきと判定されたアドバイス候補を、ユーザに提示するアドバイスとして決定し（Ｓ８）、ユーザ端末３に送信する（Ｓ９）。
【００５７】
このような本実施の形態のアドバイス決定システム１によれば、複数のアドバイス候補（例えば、「糖質を控えましょう」「食塩を減らしましょう」など）の各々について、健康診断データのデータ項目（例えば、ＢＭＩ，腹囲、血糖値など）ごとにユーザに提示する優先度のスコアが求められる。そして、一のアドバイス候補について、すべてのデータ項目の優先度のスコアを合計した合計スコアが計算され、合計スコアに基づいて、そのアドバイス候補の優先順位（例えば、優先度１は「糖質の摂りすぎには気を付けましょう」、優先度２は「野菜を食べましょう」、優先度３は「食塩を減らしましょう」と「たんぱく質をとりましょう」）が決定される。
【００５８】
また、複数のアドバイス候補の各々について、ユーザのライフログデータ（例えば、「糖質が多い（一日に摂取した糖質：３５０ｇ以上）」「野菜はしっかり摂れている（一日の野菜摂取量：３５０ｇ以上）」など）に基づいて、ユーザに提示すべきか否か（例えば、優先度１の「糖質の摂りすぎには気を付けましょう」はユーザーに提示する必要がある、優先度２の「野菜を食べましょう」はユーザーに提示する必要がない、など）が判定される。
【００５９】
そして、複数のアドバイス候補のうち、優先順位が高くかつユーザに提示すべきと判定されたアドバイス候補が、ユーザに提示するアドバイスとして決定される。これにより、ユーザの健康診断データとライフログデータを考慮して、そのユーザにとって必要なアドバイスが提示される。このようにして、ユーザにとって信頼性の高いアドバイスが提示される。
【００６０】
また、本実施の形態では、複数のアドバイス候補（例えば、「適切なカロリーを守りましょう」「（運動強度の高い）スポーツをしましょう」など）の各々について、ユーザのアンケート回答データ（例えば、「運動をすると膝や腰がかなり痛む」など）に基づいて、ユーザに提示すべきか否か（例えば、「適切なカロリーを守りましょう」はユーザーに提示する必要がある、「（運動強度の高い）スポーツをしましょう」はユーザーに提示する必要がない、など）が判定される。これにより、ユーザのアンケート回答データを考慮して、そのユーザにとって必要なアドバイスが提示される。
【００６１】
また、本実施の形態では、複数のアドバイス候補（例えば、「早く就寝しましょう」「歩数を増やしましょう」など）の各々について、ユーザの勤怠データ（例えば、「残業時間」など）に基づいて、ユーザに提示すべきか否か（例えば、「早く就寝しましょう」はユーザーに提示する必要がある、「歩数を増やしましょう」はユーザーに提示する必要がない、など）が判定される。これにより、ユーザの勤怠データを考慮して、そのユーザにとって必要なアドバイスが提示される。
【００６２】
また、本実施の形態では、複数のアドバイス候補（例えば、「休息をとりましょう」「カロリー制限をしましょう」など）の各々について、ユーザのメンタルデータ（例えば、「ストレス判定」など）に基づいて、ユーザに提示すべきか否か（例えば、「休息をとりましょう」はユーザーに提示する必要がある、「カロリー制限をしましょう」はユーザーに提示する必要がない、など）が判定される。これにより、ユーザのメンタルデータを考慮して、そのユーザにとって必要なアドバイスが提示される。
【００６３】
また、本実施の形態では、アドバイス候補がユーザの生活行動において回避すべき注意行動に関するもの（例えば、「糖質の摂り過ぎには注意しましょう」など）である場合、ユーザのライフログデータ（一日に摂取した糖質：３５０ｇ以上）から、その注意行動が回避されていない（糖質が多い）と判断されると、そのアドバイス候補が、ユーザに提示するアドバイスとして決定される。これにより、そのユーザにとって注意が必要なアドバイスが提示される。
【００６４】
また、本実施の形態では、アドバイス候補がユーザの生活行動において実行すべき推奨行動に関するもの（例えば、「野菜をしっかり食べるのは良いことですね。ぜひ続けましょう」など）である場合、ユーザのライフログデータ（一日の野菜摂取量：３５０ｇ以上）から、その推奨行動が実行されている（野菜はしっかり摂れている）と判断されると、そのアドバイス候補が、ユーザに提示するアドバイスとして決定される。これにより、そのユーザにとって有益なアドバイスが提示される。
【００６５】
また、本実施の形態では、あるアドバイス候補が、健康診断データに基づいてそのユーザに対して提示すべきでないと判断される場合、そのアドバイス候補については禁忌処理（優先順位を最下位にする、あるいは、優先順位をつけない処理）が行われ、そのアドバイス候補はユーザに提示されない。これにより、ユーザにとって提示すべきでないアドバイス（例えば、腎臓疾患のあるユーザに対して「野菜をたべましょう」など）が提示されるのを避けることができる。
【００６６】
以上、本発明の実施の形態を例示により説明したが、本発明の範囲はこれらに限定されるものではなく、請求項に記載された範囲内において目的に応じて変更・変形することが可能である。
【産業上の利用可能性】
【００６７】
以上のように、本発明にかかるアドバイス決定システムは、ユーザにとって信頼性の高いアドバイスを提示することができるという効果を有し、健康アドバイスシステム等に適用され、有用である。
【符号の説明】
【００６８】
１  アドバイス決定システム
２  ネットワーク
３  ユーザ端末
４  健康診断データサーバ
５  勤怠データサーバ
６  メンタルデータサーバ
１０  健康診断データ取得部
１１  ライフログデータ取得部
１２  アンケート回答取得部
１３  勤怠データ取得部
１４  メンタルデータ取得部
１５  優先順位決定部
１６  提示可否判定部
１７  アドバイス決定部
１８  アドバイス送信部
１９  記憶部
【要約】      （修正有）【課題】ユーザにとって信頼性の高いアドバイスを提示することのできるアドバイス決定システムを提供する。【解決手段】アドバイス決定システム１は、ユーザに提示する複数のアドバイス候補の各々について、健康診断データのデータ項目ごとにユーザに対して提示する優先度のスコアを求め、一のアドバイス候補について、すべてのデータ項目の優先度のスコアを合計した合計スコアを計算し、前記合計スコアに基づいて、当該アドバイス候補の優先順位を決定する優先順位決定部１５と、複数のアドバイス候補の各々について、ライフログデータに基づいて、ユーザに提示すべきか否かを判定する提示可否判定部１６と、複数のアドバイス候補のうち、優先順位決定部１５で決定された優先順位が高くかつ提示可否判定部１６でユーザに提示すべきと判定されたアドバイス候補を、ユーザに提示するアドバイスとして決定するアドバイス決定部１７と、を備える。【選択図】図１【図１】
0006974547.tif 000002
【図２】
0006974547.tif 000003
【図３】
0006974547.tif 000004
【図４】
0006974547.tif 000005